(57)【要約】  指で操作できる水晶体超音波吸引(「水晶体」)ニードルレンチは、水晶体ニードルの締結ヘッドを受け入れるベースを有する。中空のつまみが、ニードルの締結ヘッドから遠位に延びる部分と少なくとも同程度の長さにわたって、ベースから延びる。つまみはつまみの中心軸から概ね外側に向けられた非対称小葉を有する。小葉は、ニードルを水晶体ハンドピースに確実に固定する、ユーザの指によって小葉に印加される締付け力に応じてニードル締結ヘッドに締付けトルクを与える。小葉は、ニードルを水晶体ハンドピースから取り外す、指によって小葉に印加される緩め力に応じてニードル締結ヘッドに弛めトルクを与える。小葉の非対称外形のため、緩めトルクは締付けトルクより大きい。
2013526965.tif 000002
【特許請求の範囲】
【請求項１】
指で操作できる水晶体超音波吸引(「水晶体」)ニードルレンチにおいて、
水晶体ニードルの締結ヘッドを受け入れるように構成された中央開口を有するベース、及び
前記ベースから延び、前記ニードルの前記締結ヘッドから遠位に延びる部分の長さに少なくとも等しい長さを有する、中空のつまみであって、前記つまみは前記つまみから概ね外側に向けられた複数枚の小葉を有し、前記小葉のそれぞれは非対称外形を有するものであるつまみ、
を有し、
前記小葉は、(ａ)前記ニードルを水晶体ハンドピースに確実に固定する、ユーザの指によって前記小葉に印加される締付け力に応じて前記ニードル締結ヘッドに締付けトルクを印加できる能力、及び(ｂ)前記ニードルを前記水晶体ハンドピースから取り外す、指によって前記小葉に印加される緩め力に応じて前記ニードル締結ヘッドに、前記締付けトルクより大きい、緩めトルクを印加できる能力をユーザに与えるように構成される、及び
前記緩めトルクは、前記小葉の前記非対称外形のため、前記締付けトルクより大きい、
ことを特徴とする水晶体ニードルレンチ。
【請求項２】
前記ベースが前記ニードル締結ヘッドを受け入れたときに、前記つまみが前記ニードルを囲むように構成されることを特徴とする請求項１に記載の水晶体ニードルレンチ。
【請求項３】
前記小葉が前記つまみの周りに実質的に等間隔で配置されることを特徴とする請求項１に記載の水晶体ニードルレンチ。
【請求項４】
前記複数枚の小葉が、３枚より多く、１２枚より少ない、小葉を含むことを特徴とする請求項１に記載の水晶体ニードルレンチ。
【請求項５】
６枚の小葉を含むことを特徴とする請求項１に記載の水晶体ニードルレンチ。
【請求項６】
ステンレス鋼でつくられることを特徴とする請求項１に記載の水晶体ニードルレンチ。
【請求項７】
前記小葉が実質的に前記つまみの長さに沿って延びることを特徴とする請求項１に記載の水晶体ニードルレンチ。
【請求項８】
指で操作できる水晶体超音波吸引(「水晶体」)ニードルレンチにおいて、
対向する端面及び前記対向する端面間の内腔を有する中空のつまみ、及び
前記つまみの一端にあるベースであって、水晶体ニードルの締結ヘッドの周りに嵌るように構成された中央開口を有するベース、
を有し、
前記つまみは、前記ニードルの先端が前記つまみから延び出さないように、前記ニードルを囲むように構成される、
前記つまみは前記つまみから概ね外側に向けられた複数枚の小葉を有し、前記小葉のそれぞれは非対称外形を有する、
前記小葉は、(ａ)前記ニードルを水晶体ハンドピースに確実に固定する、ユーザにより前記小葉に手で印加される締付け力に応じて前記ニードル締結ヘッドに締付けトルクを印加できる能力、及び(ｂ)前記ニードルを前記水晶体ハンドピースから取り外す、ユーザにより前記小葉に手で印加される緩め力に応じて前記ニードル締結ヘッドに、前記締付けトルクより大きい、緩めトルクを印加できる能力をユーザに与えるように構成される、及び
前記緩めトルクは、前記小葉の前記非対称外形のため、前記締付けトルクより大きい、
ことを特徴とする水晶体ニードルレンチ。
【請求項９】
前記小葉が前記つまみの周りに実質的に等間隔で配置されることを特徴とする請求項８に記載の水晶体ニードルレンチ。
【請求項１０】
前記複数枚の小葉が、３枚より多く、１２枚より少ない、小葉を含むことを特徴とする請求項８に記載の水晶体ニードルレンチ。
【請求項１１】
６枚の小葉を含むことを特徴とする請求項８に記載の水晶体ニードルレンチ。
【請求項１２】
ステンレス鋼でつくられることを特徴とする請求項８に記載の水晶体ニードルレンチ。
【請求項１３】
前記小葉が実質的に前記つまみの前記対向する端面の間を延びることを特徴とする請求項８に記載の水晶体ニードルレンチ。
【発明の詳細な説明】
【技術分野】
【０００１】
本開示は、白内障手術の施術を補助するための用具に関し、さらに詳しくは、水晶体超音波吸引ハンドピースとともに用いるための水晶体超音波吸引ニードルレンチに関する。
【背景技術】
【０００２】
本節は、必ずしも従来技術ではない、本開示に関する背景情報を提供する。
【０００３】
白内障手術を施術する眼科医は一般に、水晶体超音波吸引(「水晶体」)ニードルが取り付けられた超音波ハンドピースを用いる。ニードルの先端は白内障を乳化させるために超音波周波数で振動する。白内障の残渣及び液体がニードル先端を通して眼から吸引される。
【発明の概要】
【課題を解決するための手段】
【０００４】
本節は本開示の全般的要約を提供し、本開示の全範囲または本開示の特徴の全ての包括的開示ではない。
【０００５】
一構成において、本開示は指で操作できる水晶体超音波吸引(「水晶体」)ニードルレンチに向けられる。レンチは水晶体ニードルの締結ヘッドを受け入れるように構成された中央開口を有するベースを含む。中空のつまみがベースから延び、ニードルの締結ヘッドから遠位に延びている部分の長さに少なくとも等しい長さを有する。つまみは、つまみから概ね外側に向けられた複数枚の小葉を有する。小葉は、(ａ)水晶体ハンドピースにニードルを確実に取り付ける、ユーザの指によって小葉に印加される締付け力に応じてニードル締結ヘッドに締付けトルクを印加できる能力、及び(ｂ)ニードルを水晶体ハンドピースから取り外す、指によって小葉に印加される緩め力に応じてニードル締結ヘッドに締付けトルクより大きい緩めトルク、を印加できる能力をユーザに提供するように構成される。緩めトルクは、小葉の非対称外形のため、締付けトルクより大きい。
【０００６】
別の構成において、本開示は指で操作できる水晶体超音波吸収(「水晶体」)ニードルレンチに向けられる。レンチは対向する端面及び端面間の内腔を有するつまみを有し、つまみの近端にベースを有する。ベースは水晶体ニードルの締結ヘッドの周りに嵌るように構成された中央開口を有する。つまみは、ニードルの先端がつまみの遠端から延び出さないように、ニードルの遠位部を内腔内に受け入れるように構成される。つまみは、つまみから概ね外側に向けられた複数枚の小葉を有し、それぞれの小葉は非対称外形を有する。。小葉は、(ａ)水晶体ハンドピースにニードルを確実に取り付ける、ユーザによって小葉に手で印加される締付け力に応じてニードル締結ヘッドに締付けトルクを印加できる能力、及び(ｂ)ニードルを水晶体ハンドピースから取り外す、ユーザによって小葉に手で印加される緩め力に応じてニードル締結ヘッドに、締付けトルクより大きい、緩めトルクを印加できる能力をユーザに提供するように構成される。緩めトルクは、小葉の非対称外形のため、締付けトルクより大きい。
【０００７】
また別の構成において、本開示は水晶体超音波吸引(「水晶体」)ニードルを水晶体ハンドピースに関連して用いる方法に向けられる。ニードルの締結ヘッドが水晶体超音波吸引ニードルレンチのベースにある開口に嵌め込まれ、レンチはつまみを有し、つまみはつまみから概ね外側に向けられた複数枚の小葉を有し、それぞれの小葉は非対称外径を有する。水晶体ハンドピースにニードルを確実に取り付けるための締付けトルクを得るため、つまみの小葉に締付け力が手で印加される。緩めトルクが水晶体ハンドピースからニードルを取り外すために得られ、緩めトルクの大きさは締付けトルクの大きさより大きい。より大きい緩めトルクは、小葉の非対称外形により、得られる。
【０００８】
さらなる適用可能領域は本明細書に与えられる説明から明らかになるであろう。本要約における説明及び特定の例は例証が目的とされているに過ぎず、本開示の範囲の限定は目的とされていない。
【図面の簡単な説明】
【０００９】
【図１】図１は従来の水晶体ハンドピースの一部分解組立図である。
【図２】図２は、本開示の一実施にしたがう、指で操作できる水晶体超音波吸引ニードルレンチの斜視図である。
【図３】図３は、本開示の一実施にしたがう、指で操作できる水晶体超音波吸引ニードルレンチの端面図である。
【図４】図４は、本開示の一実施にしたがう、指で操作できる水晶体超音波吸引ニードルレンチの断面図である。
【図５】図５は、本開示の一実施にしたがう、指で操作できる水晶体超音波吸引ニードルレンチの、ニードルレンチ内の水晶体ニードルとともに示される、断面図である。
【図６】図６は、本開示の様々な実施にしたがう、複数の水晶体超音波吸引ニードルレンチの端面図である、
【発明を実施するための形態】
【００１０】
本明細書に示される図面は、可能な全ての実施形態ではなく、選ばれた実施形態の例証の目的のために過ぎず、本開示の範囲の限定は目的とされていない。
【００１１】
図面のいくつかの図を通して、対応する参照数字は対応する要素を示す。
【００１２】
実施形態の例をここで添付図面を参照してさらに十分に説明する。
【００１３】
従来の水晶体ハンドピースが図１に全体として参照数字２０で示される。ハンドピース２０は、本体２４，灌注ポート２８，吸引ポート３２及び電力コード３６を備える。ハンドピース２０の遠端４０は内側にねじが切られたレセプタクル４４を有する。水晶体ニードル５２の外側にねじが切られたベース４８を、ニードル５２をハンドピース２０に取り付けるため、レセプタクル４４にねじ込むことができる。ニードルスリーブ５６がニードル５２に被せてハンドピース２０に取り付けられる。ニードル５２は先端５８及び、ねじが切られたニードルベース４８をハンドピース２０に取り付けるため、例えば時計回りに、廻すことができる、締結ヘッド６０を有する。ニードル５２をハンドピース２０から取り外すため、締結ヘッド６０は逆方向に廻される。
【００１４】
水晶体ハンドピースに対して水晶体ニードルの取付け及び取外しを行う眼科医またはその他のユーザは、ニードルの鋭い先端５８を避けながら、ニードル締結ヘッド６０にかなりのトルクをかけなければならない。ニードルが水晶体処置に用いられた後は先端５８との接触を避けることが特に望ましいことになり得る。本開示の様々な実施においては、ユーザがニードルを取り付けているかまたは取り外している際に、指で操作できる水晶体ニードルレンチがユーザの指をニードル５２から保護する。さらに、レンチは、ニードル取付け中よりもニードル取外し中のほうが大きいトルクの締結ヘッド６０へのユーザによる印加を可能にする幾何学的断面形状を与えることにより、ニードル５２の取外しを容易にする。
【００１５】
本開示の一実施形態にしたがう、指で操作できる水晶体ニードルレンチは、図２〜５に全体として参照数字１００で示される。レンチ１００は、ニードル締結ヘッド６０を受け入れるように構成された中央開口１０８を有する、(図３〜５に示される)ベース１０４を有する。つまみ１１２がベース１０４から延び、ベースがニードル締結ヘッド６０を受け入れたときにニードル５２を囲む。つまみ１１２は対向する端面１１６及び１２０を有する。つまみ１１２は端面１１６と１２０の間の内腔１２４を有する。つまみ１１２は、ニードル５２の締結ヘッド６０から遠位に延びる部分の長さに少なくとも等しい、長さを有する。
【００１６】
つまみ１１２はつまみから概ね外側に向けられた複数枚の小葉１３２を有する。それぞれの小葉１３２は非対称断面外径を有する。小葉１３２の非対称湾曲外形は、つまみ１１２に印加される同じ力に対し、力が時計回りに印加されるかまたは反時計回りに印加されるかに依存して、異なるトルクをニードル締結ヘッド６０に印加できる能力をユーザに与えるように構成される。レンチ１００は、ユーザハンドピース２０にニードル締結ヘッド６０を確実に固定するために彼／彼女の指で、例えば右ねじニードルに対して、時計回りにつまみを廻すと小葉に印加される締付け力に応じてニードル締結ヘッド６０に締付けトルクを印加することができる。レンチ１００は、ユーザがハンドピース２０からニードルを取り外すために彼／彼女の指で、例えばは時計回りに、つまみを廻すと小葉１３２に印加される緩め力に応じてニードル締結ヘッド６０に緩めトルクを印加することもできる。小葉１３２の非対称湾曲外形のため、緩めトルクは締付けトルクより大きい。
【００１７】
様々な構成において、ニードルレンチ１００は再使用可能であり、使用中に開口の変形をおこさないであろう、ステンレス鋼またはその他の材料でつくることができる。ニードルレンチ１００は、ニードルを(一般に２０〜４０ｋＨｚの範囲で)振動させるために超音波エネルギーがかけられているときにニードル５２がハンドピース２０に取り付けられたままでいるに十分であるが、過剰ではない、締付けトルクを与える。ニードルレンチ１００の全体の直径は約０.５インチ(１２.７ｍｍ)またはつまみに適するその他の直径とすることができる。水晶体超音波吸引処置が完了すると、例えばハンドピースのクリーニング及びニードルのクリーニングまたは廃棄を可能にするため、ニードル５２はハンドピース２０から取り外される。ニードルを簡単かつ容易に取り外すことができるように、レンチ１００は、ニードル５２を緩めるため、ニードルを締め付けるために先にかけられたトルクをこえるトルクをユーザに発生させることができる。言い換えれば、同じユーザがニードルの締付け及び緩めを行えば、非対称小葉外形のため、そのユーザは締付けトルクより大きな緩めトルクを容易に発生することができる。
【００１８】
つまみ１１２の小葉の構成において様々な湾曲外形を用いることができる。様々な湾曲外形の例の比較を、複数のグリップ２１２ａ〜２１２ｄが示されている、図６を参照して行うことができる。グリップ２１２ａは小葉の湾曲外形があるとしても僅かでしかなく、時計回りと反時計回りに発生されるトルクの大きさの差はほとんどまたは全く無いであろう。グリップ２１２ｄの小葉１３２の湾曲外形はグリップ２１２ａ〜２１２ｄの内で外側に最も向けられている。したがって、グリップ２１２ａ〜２１２ｃで与えられるトルクと比較すると、水晶体ニードルを取り外すために反時計回り方向につまみ２１２ｄを廻すユーザは最大のトルクを利用できる。
【００１９】
図に示されるようにつまみ１１２には６枚の実質的に等間隔の小葉１３２が与えられるが、他の数、間隔及び形状の小葉を与えることもできよう。緩め方向に発生させることができるトルクに比較して締付け方向ではトルクを制限することができるような十分な小葉(例えば２枚ないし３枚より多くの小葉)を与えることができる。さらにまたはあるいは、締付けトルクと緩めトルクの間の差を大きくするため、例えば１０〜１２枚より少ない、小葉を与えることができる。また、小葉１３２は実質的につまみ１１２に長さに沿って延びることが好ましいが、小葉がつまみ１１２の一部にだけでも形成されなければならないことは理解されるであろう。
【００２０】
上記説明は通常の右ねじ型アセンブリに関して与えられているが、レンチを反時計回りに廻すと水晶体ニードルを締め付け、レンチを時計回りに廻すと水晶体ニードルを緩める、左ねじ型アセンブリにも適用できることに注意されたい。これは、上述した小葉外形を反転することによって達成することができる。
【００２１】
様々な要素、コンポーネント、領域、層及び／または区画を説明するため、第１、第２、第３、等の用語が本明細書に用いられ得るが、これらの要素、コンポーネント、領域、層及び／または区画はこれらの用語によって限定されるべきではない。これらの用語は、単に１つの要素、コンポーネント、領域、層または区画を別の領域、層または区画から弁別するために用いられ得るに過ぎない。「第１」、「第２」及びその他の数字語は、本明細書に用いられる場合、文脈によって明瞭に示されない限り、シーケンスまたは順序を意味しない。すなわち、以下で論じられる第１の要素、コンポーネント、領域、層または区画は実施形態例の教示を逸脱することなく、第２の要素、コンポーネント、領域、層または区画と称され得るであろう。
【００２２】
「内側」、「外側」、「下」、「下方」、「下側」、「上方」、「上側」等のような、空間的相対関係語は、図に示されるような、１つの要素または特徴の別の(１つまたは複数の)要素または特徴に対する関係を説明するための記述を容易にするために本明細書に用いられ得る。空間的相対関係語は、図に示される方位だけではなく、使用または動作におけるデバイスの様々な方位の包含が目的とされ得る。例えば、図中のデバイスの上下が逆にされると、別の要素または特徴の「下方」または「下」として説明される要素は、同じ別の要素または特徴の「上方」に配位されることになろう。すなわち、用語例「下方」は上方及び下方のいずれの方位も包含し得る。デバイスには別途の方位をとらせる(９０°回転させるかまたは他の方位に向ける)ことができ、本明細書に用いられる空間的相対関係語はそれに応じて解釈される。
【００２３】
実施形態の上述は例証及び説明の目的のために与えられた。本発明を網羅すること及び限定することは目的とされていない。特定の実施形態の個々の要素または特徴は一般にはその特定の実施形態に限定されておらず、適用可能である場合は、特に示されていないかまたは説明されていなくとも、互換であり、選ばれた実施形態に用いることができる。そのような要素または特徴は多くの態様で変形され得る。そのような変形は本発明からの逸脱とみなされるべきではなく、そのような改変は全て本発明の範囲内に含まれとされる。
【符号の説明】
【００２４】
２０    水晶体ハンドピース
４８    ニードルベース
５２    水晶体ニードル
５８    水晶体ニードル先端
６０    ニードル締結ヘッド
１００    水晶体ニードルレンチ
１０４    レンチベース
１０８    中央開口
１１２    つまみ
１１６，１２０    端面
１２４    内腔
１３２    小葉
【図１】
2013526965.tif 000003
【図２】
2013526965.tif 000004
【図３】
2013526965.tif 000005
【図４】
2013526965.tif 000006
【図５】
2013526965.tif 000007
【図６】
2013526965.tif 000008
【国際調査報告】
2013526965.tif 000009
2013526965.tif 000010
2013526965.tif 000011